(57)【要約】【課題】乾燥処理したごみで周囲を汚してしまうことがなく、また、処理後の乾燥ゴミに雨がかかったり、猫等がゴミ受け部内の乾燥ゴミをあさることができない、使用性の高い厨芥処理機を提供することを目的とする。【解決手段】機器本体にて処理され、前記機器本体から排出された乾燥ゴミを受けるゴミ受け部４１を有するとともに、前記ゴミ受け部４１の開口部４２を覆う受け部カバー４０を備えたもので、前記ゴミ受け部４１に排出された処理後の乾燥ゴミに雨がかかったり、猫等がゴミ受け内の乾燥ゴミをあさることができない厨芥処理機を提供できるものである。【選択図】　図１
2004141789.tif 000002
【特許請求の範囲】
【請求項１】
機器本体にて処理され、前記機器本体から排出された乾燥ゴミを受けるゴミ受け部を有するとともに、前記ゴミ受け部の開口部を覆う受け部カバーを備えた厨芥処理機。
【請求項２】
ゴミ受け部の上方端部と受け部カバーの下方端部はオーバーラップしているとともに、前記受け部カバーの一部が内方または外方に回動する請求項１記載の厨芥処理機。
【請求項３】
ゴミ受け部の上方端部と受け部カバーの下方端部はオーバーラップしているとともに、前記受け部カバーの一部が外方のみに回動する請求項１記載の厨芥処理機。
【請求項４】
ゴミ受け部の上方端部と受け部カバーの下方端部はオーバーラップしているとともに、前記受け部カバーの一部が上下方向に移動する請求項１記載の厨芥処理機。
【請求項５】
受け部カバーは、カバー体と前記カバー体に軸支された開閉体から構成され、前記開閉体は前記カバー体に対し、前記軸を中心に回動する請求項２または３記載の厨芥処理機。
【請求項６】
開閉体をカバー体に対し回動または移動させたとき、前記開閉体は前記カバー体に対し回動または移動途中の位置で固定可能な請求項２〜５のいずれか１項に記載の厨芥処理機。
【請求項７】
ゴミ受け部が受け部カバー内にセットされていない場合は、前記受け部カバーの少なくとも一部は外方に回動したまま状態を保ち、前記ゴミ受け部が前記受け部カバー内にセットされると、前記受け部カバーの少なくとも一部は自動的に閉まる請求項３記載の厨芥処理機。
【請求項８】
ゴミ受け部が受け部カバー内にセットされた状態で、前記ゴミ受け部と前記受け部カバーとの水平方向の隙間を５ｍｍ以下とした請求項１〜７のいずれか１項に記載の厨芥処理機。
【請求項９】
ゴミ受け部の全周にフランジを設けた請求項１〜８のいずれか１項に記載の厨芥処理機。
【請求項１０】
ゴミ受け部内の乾燥ゴミの量を検知する乾燥ゴミ量検知手段を有し、前記乾燥ゴミ量検知手段が前記ゴミ受け部内の乾燥ゴミが一定量を超えたことを検知した場合に、それを使用者に知らせる報知手段を設けた請求項１〜９のいずれか１項に記載の厨芥処理機。
【請求項１１】
受け部カバーの少なくとも一部は、可視性を有する材料で形成されてなる請求項１〜１０のいずれか１項に記載の厨芥処理機。
【請求項１２】
機器本体にて処理され、前記機器本体から排出された乾燥ゴミを受けるゴミ受け部を有するとともに、前記ゴミ受け部の装着の有無を検出する検出手段を設けてなる厨芥処理機。
【請求項１３】
運転開始時、ゴミ受け部が装着されていないと運転を開始しないようにしてなる請求項１〜１２のいずれか１項に記載の厨芥処理機。
【請求項１４】
運転途中時に、ゴミ受け部が外された場合、乾燥処理終了後排出しないようにしてなる請求項１〜１３のいずれか１項に記載の厨芥処理機。
【請求項１５】
乾燥ゴミの排出を、乾燥処理後自動的に行うか、乾燥終了後任意の時間に排出が行えるかの排出選択スイッチを設けた請求項１〜１４のいずれか１項に記載の厨芥処理機。
【発明の詳細な説明】
【０００１】
【発明の属する技術分野】
本発明は、生ゴミ等の厨芥を処理する厨芥処理機に関するものである。
【０００２】
【従来の技術】
従来の厨芥処理機について説明する。図１０において、１は本体２に固着された底断面円形の生ゴミ収納容器である。生ゴミ収納容器１内には生ゴミの粉砕、撹拌手段として回転自在に水平配置された回転手段４に羽根固定軸５を介して複数個の撹拌羽根６が固着してある。撹拌羽根６は偏平で生ゴミ収納容器１の内周壁面にこすれる程度に近接して設けられている。回転手段４は駆動モータ７によって駆動される。生ゴミ収納容器１の外側上面には生ゴミ収納容器１内の温度を検知する温度検知手段９が当接している。生ゴミ収納容器１の上部には熱風発生撹拌手段として上ヒータ１０と、上ヒータ１０の熱を生ゴミ収納容器１内に送り込むための送風ファン１１が設けられ、送風ファン１１外周には下方に開口部を有するフード１２を配している。送風ファン１１はファンモータ２０と連結して、回転駆動される。２２は温度検知手段９の検知温度に基づき上ヒータ１０の通電を制御する制御手段である。２３は温度検知手段９の検知温度に基づき生ゴミが乾燥したかどうかを判定する乾燥判定手段である。１３は生ゴミから発生した臭気を脱臭する触媒脱臭装置である。触媒脱臭装置１３の内部には触媒２４と触媒２４を加熱するための触媒ヒータ２５が内蔵されている。触媒脱臭装置１３は排気ダクトＡ１４によって排出装置１５と連結されている。排出装置１５内には生ゴミ収納容器１内の蒸気を外部に排出するための排出ファン１６が設けられている。排出ファン１６は排出モータ２１と連結によって回転され、生ゴミ収納容器１内の蒸気を触媒脱臭装置１３内に吸い込みさらに排気ダクトＡ１４、排気ダクトＢ１７を通って本体外に排出される。
【０００３】
２６は生ゴミ収納容器１の側面に設けられている生ゴミ排出用の排出口である。排出口２６の周囲には排出口周囲をシールするための、排出口パッキン２７である。２８は、排出口パッキン２７をおさえるパッキン押さえ板、３５は排出口２６から排出したゴミを導くゴミ排出ガイドである。
【０００４】
２９は、排出口２６を開閉するシャッターであり、シャッター２９にはラック３０、ラック３０には、スイッチアタリ３２が取り付けられている。３３は、シャッター２９を開閉するための排出口開閉モータであり排出口開閉モータ３３の出力軸にはピニオン３１が取り付けられており、ラック３１とかみあっている。排出口開閉モータ３３は、モータ取付板３６に取り付けられている。また、モータ取付板３６には、排出口開検知スイッチ３４および排出口閉スイッチ３７が取り付けられている。４０は排出口開閉モータ３３等をカバーするカバー体である。
【０００５】
図１１において、１８は生ゴミ収納容器１の開閉を行なう収納容器開閉体である。図１２は厨芥処理機の外観を示すものであり、３８は生ゴミ収納容器１内の生ゴミを乾燥処理する時に押す運転ボタンである。３９は乾燥ゴミを本体２の外に排出する時に押す排出ボタンである。４１は乾燥ゴミを受けるゴミ受け部であり、カバー体４０の下に置いておく。
【０００６】
以上のように構成された厨芥処理機について生ゴミ乾燥時の動作を説明する。
【０００７】
収納容器開閉体１８を開けて生ゴミ収納容器１内に生ゴミを投入した後、収納容器開閉体１８を閉める。運転ボタン３８を押すと、生ゴミ収納容器１内に投入された生ゴミは、撹拌羽根６によって掻き上げられながら上部の上ヒータ１０と送風ファン１１によって満遍なく加熱乾燥していく。
【０００８】
上ヒータ１０は温度検知手段９の検知温度がある所定温度に達するまでは通電し続けるが、温度検知手段９の検知温度がある所定温度に達してからは温度検知手段９の温度がある所定温度となるように制御手段２２が上ヒータ１０の通電を制御する。そして、生ゴミから発生した蒸気は排出装置１５内の排出ファン１６が回転することによって触媒脱臭装置１３内に吸い込まれ脱臭される。脱臭された蒸気は排気ダクトＡ１４、排気ダクトＢ１７を通って本体外へ排出される。そして、生ゴミが乾燥し蒸気の発生が少なくなると温度検知手段９の検知温度が上昇し検知温度がある温度に達すると乾燥判定手段２３が生ゴミの乾燥が終了したと判定し機器を停止させる。
【０００９】
次に乾燥したゴミを本体２の外に排出する時の動作を説明する。
【００１０】
排出ボタン３９を押すことにより排出口開閉モータ３３が時計回りに回転しピニオン３１とラック３０によりシャッター２９が上方向に動き排出口開閉状態検知手段動作手段であるスイッチアタリ３２が排出口開状態検知手段である排出口開検知スイッチ３４を動作させる。排出口開検知スイッチ３４が動作したら排出口２６が開いていると判断し排出口開閉モータ３３を停止し、駆動モータ７を回転させることで生ゴミ収納容器内のゴミは撹拌羽根６により排出口２６側に寄せられ排出口２６を通り生ゴミ収納容器１の外に排出される。
【００１１】
そして、一定時間経過後駆動モータ７を停止し、排出口開閉モータ３３を反時計方向に回転させシャッター２９を下に下げ、スイッチアタリ３２が排出口閉検知スイッチ３７を動作させる。排出口閉検知スイッチ３７が動作したら排出口２６が閉じていると判断し排出口開閉モータ３３を停止させる。
【００１２】
【発明が解決しようとする課題】
しかしながら、上記従来の構成では生ゴミの乾燥後、生ゴミを排出し、そのままの状態にしておくと厨芥処理機を屋外に置いていた場合、乾燥ゴミに雨がかかったり、猫等が乾燥ゴミをあさりに来るといった課題があった。また、生ゴミを自動的に排出する場合を考えた時、乾燥ゴミ受けがセットされていなくてもゴミは排出されてしまうため、乾燥処理したごみで周囲を汚してしまう課題もあった。
【００１３】
上記目的を達成するために本発明は、乾燥処理したごみで周囲を汚してしまうことがなく、また、処理後の乾燥ゴミに雨がかかったり、猫等がゴミ受け部内の乾燥ゴミをあさることができない、使用性の高い厨芥処理機を提供することを目的とする。
【００１４】
【課題を解決するための手段】
上記目的を達成するために本発明は、機器本体にて処理され、前記機器本体から排出された乾燥ゴミを受けるゴミ受け部を有するとともに、前記ゴミ受け部の開口部を覆う受け部カバーを備えたもので、前記ゴミ受け部に排出された処理後の乾燥ゴミに雨がかかったり、猫等がゴミ受け内の乾燥ゴミをあさることができない厨芥処理機を提供できるものである。
【００１５】
【発明の実施の形態】
本発明の請求項１記載の発明は、機器本体にて処理され、前記機器本体から排出された乾燥ゴミを受けるゴミ受け部を有するとともに、前記ゴミ受け部の開口部を覆う受け部カバーを備えたもので、前記ゴミ受け部に排出された処理後の乾燥ゴミに雨がかかったり、猫等がゴミ受け内の乾燥ゴミをあさることができない厨芥処理機を提供できるものである。
【００１６】
本発明の請求項２記載の発明は、ゴミ受け部の上方端部と受け部カバーの下方端部はオーバーラップしているとともに、前記受け部カバーの一部が内方または外方に回動するもので、ゴミ受け部に排出された処理後の乾燥ゴミに雨がかかったり、猫等がゴミ受け内の乾燥ゴミをあさることができないとともに、ゴミ受け部の出し入れの作業性の良い厨芥処理機を提供できるものである。
【００１７】
本発明の請求項３記載の発明は、ゴミ受け部の上方端部と受け部カバーの下方端部はオーバーラップしているとともに、前記受け部カバーの一部が外方のみに回動するもので、ゴミ受け部に排出された処理後の乾燥ゴミに雨がかかったり、猫等がゴミ受け内の乾燥ゴミをあさることができないとともに、ゴミ受け部の出し入れの作業性の良い厨芥処理機を提供できるものである。
【００１８】
本発明の請求項４記載の発明は、ゴミ受け部の上方端部と受け部カバーの下方端部はオーバーラップしているとともに、前記受け部カバーの一部が上下方向に移動するもので、ゴミ受け部に排出された処理後の乾燥ゴミに雨がかかったり、猫等がゴミ受け内の乾燥ゴミをあさることができないとともに、ゴミ受け部の出し入れの作業性の良い厨芥処理機を提供できるものである。
【００１９】
本発明の請求項５記載の発明は、受け部カバーは、カバー体と前記カバー体に軸支された開閉体から構成され、前記開閉体は前記カバー体に対し、前記軸を中心に回動するもので、容易および低コストで、カバー体に対し開閉体が回動する構成が実現できる。
【００２０】
本発明の請求項６記載の発明は、開閉体をカバー体に対し回動または移動させたとき、前記開閉体は前記カバー体に対し回動または移動途中の位置で固定可能なもので、ゴミ受け部に排出された処理後の乾燥ゴミに雨がかかったり、猫等がゴミ受け内の乾燥ゴミをあさることができないとともに、ゴミ受け部の出し入れの作業性の良い厨芥処理機を提供できるものである。
【００２１】
本発明の請求項７記載の発明は、ゴミ受け部が受け部カバー内にセットされていない場合は、前記受け部カバーの少なくとも一部は外方に回動したまま状態を保ち、前記ゴミ受け部が前記受け部カバー内にセットされると、前記受け部カバーの少なくとも一部は自動的に閉まるもので、ゴミ受け部に排出された処理後の乾燥ゴミに雨がかかったり、猫等がゴミ受け内の乾燥ゴミをあさることができないとともに、ゴミ受け部の出し入れの作業性の良い厨芥処理機を提供できるものである。
【００２２】
本発明の請求項８記載の発明は、ゴミ受け部が受け部カバー内にセットされた状態で、前記ゴミ受け部と前記受け部カバーとの水平方向の隙間を５ｍｍ以下としたもので、ゴミ受け部に排出された処理後の乾燥ゴミに雨がかかったり、猫等がゴミ受け内の乾燥ゴミをあさることができないとともに、ゴミ受け部の出し入れの作業性の良い厨芥処理機を提供できるものである。
【００２３】
本発明の請求項９記載の発明は、ゴミ受け部の全周にフランジを設けたもので、ゴミ受け部に排出された処理後の乾燥ゴミに雨がかかったり、ねずみ等がゴミ受け内の乾燥ゴミをあさることができない使用性の高い厨芥処理機を提供できるものである。
【００２４】
本発明の請求項１０記載の発明は、ゴミ受け部内の乾燥ゴミの量を検知する乾燥ゴミ量検知手段を有し、前記乾燥ゴミ量検知手段が前記ゴミ受け部内の乾燥ゴミが一定量を超えたことを検知した場合に、それを使用者に知らせる報知手段を設けたもので、連続して生ゴミを処理しても、ゴミ受け部内から乾燥ゴミがあふれることがなく、使用性の高い厨芥処理機を提供できるものである。
【００２５】
本発明の請求項１１記載の発明は、受け部カバーの少なくとも一部は、可視性を有する材料で形成されてなるもので、受け部カバーに蓄積している乾燥ゴミの量を使用者が確認でき、使用性の高い厨芥処理機を提供できるものである。
【００２６】
本発明の請求項１２記載の発明は、機器本体にて処理され、前記機器本体から排出された乾燥ゴミを受けるゴミ受け部を有するとともに、前記ゴミ受け部の装着の有無を検出する検出手段を設けてなるもので、ゴミ受け部をセットし忘れた場合、運転を強制的に開始させないことで、ゴミ受け部のセットし忘れを防止し、乾燥ゴミで周囲を汚すことを防止することができる。
【００２７】
本発明の請求項１３記載の発明は、運転開始時、ゴミ受け部が装着されていないと運転を開始しないようにしてなるもので、ゴミ受け部の有無を検出するごみ受け検出手段を設けてなるもので、ゴミ受け部をセットし忘れた場合、運転を強制的に開始させないことで、ゴミ受け部のセットし忘れを防止し、乾燥ゴミで周囲を汚すことを防止することができる。
【００２８】
本発明の請求項１４記載の発明は、運転途中時に、ゴミ受け部が外された場合、乾燥処理終了後排出しないようにしてなるもので、運転当初はゴミ受け部がセットされていたが、何らかの要因により運転中、ゴミ受け部が外された場合も、乾燥処理までは運転を続行し、乾燥終了しても排出しないように排出作業を停止させておくことができるため、乾燥ゴミで周囲を汚すことを防止することができる。
【００２９】
本発明の請求項１５記載の発明は、乾燥ゴミの排出を、乾燥処理後自動的に行うか、乾燥終了後任意の時間に排出が行えるかの排出選択スイッチを設けたもので、排出まで自動で行うか否かの選択ができるため、例えばゴミ受け部がすぐその場にない時は、取りあえず乾燥処理だけはしておいて、乾燥終了したら任意の時間に排出ボタンを押すことにより排出することができ、使用勝手が向上する。
【００３０】
【実施例】
（実施例１）
以下、本発明の第１の実施例について図１、図２、図１０を参照しながら説明する。なお、従来例と同一構成部品については同一符号を付して、その説明を省略する。
【００３１】
運転ボタン３８を押すと、生ゴミ収納容器１内に投入された生ゴミは、撹拌羽根６によって掻き上げられながら上部の上ヒータ１０と送風ファン１１によって満遍なく加熱乾燥していく。
【００３２】
上ヒータ１０は温度検知手段９の検知温度がある所定温度に達するまでは通電し続けるが、温度検知手段９の検知温度がある所定温度に達してからは温度検知手段９の温度がある所定温度となるように制御手段２２が上ヒータ１０の通電を制御する。そして、生ゴミから発生した蒸気は排出装置１５内の排出ファン１６が回転することによって触媒脱臭装置１３内に吸い込まれ脱臭される。脱臭された蒸気は排気ダクトＡ１４、排気ダクトＢ１７を通って本体外へ排出される。そして、生ゴミが乾燥し蒸気の発生が少なくなると温度検知手段９の検知温度が上昇し検知温度がある温度に達すると乾燥判定手段２３が生ゴミの乾燥が終了したと判定し、上ヒータ１０、触媒ヒータ２５の通電停止、ファンモータ２２、排出モータ２２の停止をおこない乾燥処理を終了する。
【００３３】
そして、排出口開閉モータ３３が時計回りに回転しピニオン３１とラック３０によりシャッター２９が上方向に動き排出口開閉状態検知手段動作手段であるスイッチアタリ３２が排出口開状態検知手段である排出口開検知スイッチ３４を動作させる。排出口開検知スイッチ３４が動作したら排出口２６が開いていると判断し排出口開閉モータ３３を停止し、駆動モータ７を回転させることで生ゴミ収納容器内のゴミは撹拌羽根６により排出口２６側に寄せられ排出口２６を通り生ゴミ収納容器１の外に排出され、ゴミ受け部４１の中にたまる。
【００３４】
そして、一定時間経過後駆動モータ７を停止し、排出口開閉モータ３３を反時計方向に回転させシャッター２９を下に下げ、スイッチアタリ３２が排出口閉検知スイッチ３７を動作させる。排出口閉検知スイッチ３７が動作したら排出口２６が閉じていると判断し排出口開閉モータ３３を停止させる。
【００３５】
４１は乾燥ゴミを受けるゴミ受け部である。ゴミ受け部４１の上部は開口部４２が設けられている。４０はゴミ受け部４１の開口部を覆うことができる大きさにしたカバー体である。ゴミ受け部４１の開口部４２の周囲で、ゴミ受け部４１の上方端部と受け部カバー４０および開閉体４３の下方端部はオーバーラップしている。そして、カバー体４０には開閉体４３がついており、開閉体４３は軸４４を中心に回動する構造になっている。
【００３６】
以上のような構成により、カバー体４０の開閉体４３からゴミ受け部４１をカバー体４０内にセットするときには、開閉体４３が内側に回動し、ゴミ受け部４１を出す時は、開閉体４３が外側に回動するのでゴミ受け部４１の出し入れの作業性が良く、しかも、ゴミ受け部４１の上方端部と受け部カバー４０および開閉体４３の下方端部は、ゴミ受け部４１の開口部４２をオーバーラップして覆っているので、猫等がゴミ受け部４１をいたずらしようとしても、ゴミ受け部４１はカバー体４０内から出ることはないので、屋外に置いても、猫等によるいたずら防止となる。また、雨がゴミ受け部４１内に入ることがないので、ゴミ受け部内の乾燥ゴミを濡らすことなく処理することができる。
【００３７】
また、５７はごみ受け検出手段（リミットスイッチ）である。ゴミ受け部４１がセットされると、ごみ受け検出手段５７がＯＮする。この状態になった時のみ、運転ボタンを押した時、運転が開始するよう連動している。５８は運転ボタンを押せば排出まで行うか、乾燥処理で一端運転終了させるかを選択する排出選択スイッチである。
【００３８】
これにより、ゴミ受け部４１をセットし忘れた場合、運転を強制的に開始させないことで、ゴミ受け部４１のセットし忘れを防止し、乾燥ゴミで周囲を汚すことを防止することができる。また、排出選択スイッチ５８により、排出まで自動で行うか否かの選択ができるため、例えば、ゴミ受け部４１がすぐその場にない時は取りあえず乾燥処理だけはしておいて、乾燥終了したら任意の時間に排出選択スイッチ５８を押すことにより排出することができ、使用性が向上する。
【００３９】
また、運転当初はゴミ受け部４１がセットされていたが、何らかの要因により運転中ゴミ受け部４１が外された場合は、運転中にごみ受け検出手段５７がＯＦＦになったことで、乾燥処理までは運転を続行し、乾燥終了しても排出しないように排出作業を停止させておくことができる。
【００４０】
（実施例２）
次に、本発明の第２の実施例について、図３を用いて説明する。なお上記実施例と同一構成部品については同一符号を付して、その説明を省略する。
【００４１】
４０はゴミ受け部４１の開口部４２を覆うことができる大きさにしたカバー体であり、ゴミ受け部４１の開口部４２の周囲で、ゴミ受け部４１の上方端部と受け部カバー４０および開閉体４３の下方端部は、ゴミ受け部４１の開口部４２をオーバーラップして覆っている。
【００４２】
そして、カバー体４０には開閉体４３がついており、開閉体４３は軸４４を中心に外側にのみ開く構造になっている。
【００４３】
以上のような構成により、カバー体４０の開閉体４３からゴミ受け部４１をカバー体４０内にセットするときには、開閉体４３を手で開き、ゴミ受け部４１を出す時は、開閉体４３が外側に回動するので、ゴミ受け部４１を取り出す時の作業性が良く、しかもゴミ受け部４１の上方端部と受け部カバー４０および開閉体４３の下方端部は、ゴミ受け部４１の開口部４２をオーバーラップして覆っていて、開閉体４３は外側にしか開かないので、外側から猫等がゴミ受け部４１の開口部４２に頭を入れようとしてもできないので屋外に置いても、猫等によるいたずら防止となる。
【００４４】
（実施例３）
次に、本発明の第３の実施例について、図４を用いて説明する。なお上記実施例と同一構成部品については同一符号を付して、その説明を省略する。
【００４５】
４０はゴミ受け部４１の開口部４２を覆うことができる大きさにしたカバー体であり、ゴミ受け部４１の開口部４２の周囲で、ゴミ受け部４１の上方端部と受け部カバー４０および開閉体４３の下方端部は、ゴミ受け部４１の開口部４２をオーバーラップして覆っている。
【００４６】
そして、カバー体４０には開閉体４３がついており、開閉体４３はガイド４５に沿って上下に動く構造になっている。
【００４７】
以上のような構成により、カバー体４０の開閉体４３からゴミ受け部４１をカバー体４０内にセットする時と、ゴミ受け部４１を出す時は、開閉体４３を手で開くので、猫等がゴミ受け部４１の開口部４２に頭を入れようとしてもできないので屋外に置いても、猫等によるいたずら防止となる。また、ゴミ受け部４１とカバー体４０との水平方向の隙間は、５ｍｍ以下と隙間を小さくすることでねずみがゴミ受け部４１の中に入ることがない。
【００４８】
（実施例４）
次に、本発明の第４の実施例について、図５を用いて説明する。なお上記実施例と同一構成部品については同一符号を付して、その説明を省略する。
【００４９】
４０はゴミ受け部４１の開口部４２を覆うことができる大きさにしたカバー体であり、ゴミ受け部４１の開口部４２の周囲で、ゴミ受け部４１の上方端部と受け部カバー４０および開閉体４３の下方端部は、ゴミ受け部４１の開口部４２をオーバーラップして覆っている。
【００５０】
そして、カバー体４０には開閉体４３がついており、開閉体４３はカバー体４０の奥行き方向のほぼ中央に設けられた第１の軸５２を中心に回動する。開閉体４３の側面には、軸５２を挿入する軸孔５３とその前方には溝５４とが設けられており、軸孔５３は水平方向に長孔に形成され、第２の軸５６が挿入される溝５４は軸５２を中心にした円弧形状であり、その下端に軸孔５３と平行の長孔を設けた形状になっている。
【００５１】
以上のような構成により、カバー体４０の開閉体４３からゴミ受け部４１をカバー体４０内にセットする時とゴミ受け部４１を出す時は、開閉体４３を上方に開いた時に、第２の軸５６が溝５４の形状に沿ってスライドし、その後第２の軸５６が前記溝５４の下端に設けられた平行の長孔に固定されるので、ゴミ受け部４１の出し入れ時、開閉体４３を持っている必要がなく、作業性が良いとともに、第１の軸５２がカバー体４０の水平方向のほぼ中心にあるので、開閉体４３を開くためには、開閉体４３をほぼ垂直方向に持ち上げる必要があるので、猫等がゴミ受け部４１を動かしても、開閉体４３は開かないので屋外に置いても、猫等によるいたずら防止となる。
【００５２】
（実施例５）
次に、本発明の第５の実施例について、図６を用いて説明する。なお上記実施例と同一構成部品については同一符号を付して、その説明を省略する。
【００５３】
４０はゴミ受け部４１の開口部４２を覆うことができる大きさにしたカバー体であり、ゴミ受け部４１の開口部４２の周囲で、ゴミ受け部４１の上方端部と受け部カバー４０および開閉体４３の下方端部は、ゴミ受け部４１の開口部４２をオーバーラップして覆っている。
【００５４】
カバー体４０には開閉体４３がついており、開閉体４３は軸４４を中心に外側にのみ開く構造になっている。開閉体４３の内側には、ゴミ受け部４１の開口部４２の縁約１０ｍｍのみを覆うレバー４６が固着しており、ゴミ受け部４１を挿入するとレバー４６が奥に押し込まれることによって、レバー４６と固着している開閉体４３も閉り、ゴミ受け部４１を抜くとレバー４６の重さによって開閉体４３が開く。
【００５５】
以上のような構成により、カバー体４０の開閉体４３からゴミ受け部４１をカバー体４０に出し入れする時に、開閉体４３を操作する必要がないため、ゴミ受け部４１の出し入れの作業性が良く、しかもゴミ受け部４１の上方端部と受け部カバー４０および開閉体４３の下方端部は、ゴミ受け部４１の開口部４２をオーバーラップして覆っていて、かつ、開閉体４３は乾燥ゴミいて４１がカバー体４０内セットされている時には開かないので、外側から猫等がゴミ受け部４１の開口部４２に頭を入れようとしてもできないので屋外に置いても、猫等によるいたずら防止となる。
【００５６】
（実施例６）
次に、本発明の第６の実施例について、図７を用いて説明する。なお上記実施例と同一構成部品については同一符号を付して、その説明を省略する。
【００５７】
４０はゴミ受け部４１の開口部４２を覆うことができる大きさにしたカバー体であり、ゴミ受け部４１の開口部４２の周囲にはフランジ５１が設けられている。
【００５８】
以上のような構成により、ねずみがゴミ受け部４１の中に入ろうとしてもフランジ５０によってフランジ５１より上に上がれないのでねずみがゴミ受け部４１の中に入るのを防ぐことができる。
【００５９】
（実施例７）
次に、本発明の第７の実施例について図８を用いて説明する。なお上記実施例と同一構成部品については同一符号を付して、その説明を省略する。
【００６０】
４６はカバー体４０の上部に設けた赤外線発生装置であり、その付近に赤外線受光装置４７が設けられている。４８は赤外線受光装置４７の結果により乾燥ゴミの量を判定する乾燥ゴミ量判定手段である。
【００６１】
また、４９は乾燥ゴミ量判定手段４８が乾燥ゴミ量がある一定量を超えた判定した時に、使用者に知らせるために点灯するランプである。
【００６２】
以上のような構成により、赤外線発生装置４７が赤外線を発生させてから、赤外線受光装置４８が赤外線を受光するまでの時間により、乾燥ゴミの量を乾燥ゴミ量判定手段４９が判定し、乾燥ゴミ量判定手段４９が乾燥ゴミ量がある一定量を超えたと判断した場合、ランプ５０を点灯させるので、乾燥ゴミを処理する時期がわかることで、ランプ５０が点灯するまで、生ゴミを続けて処理することができるので乾燥ごみを処理する回数が減り、使用性が良くなる。
【００６３】
（実施例８）
次に本発明の第８の実施例について図９を用いて説明する。なお上記実施例と同一構成部品については同一符号を付して、その説明を省略する。
【００６４】
５５はカバー体４０の前面に設けた可視性を有する透明な透明窓である。透明窓５５をのぞくと、ゴミ受け部４１の中が見えるので、ゴミ受け部４１を取り出さなくても、ゴミ受け部４１の中に乾燥ゴミがたまっているかどうかを確認することができるので、作業性の良い厨芥処理機を提供することができる。
【００６５】
なお、透明窓５５は前面以外の側面に設けたり、カバー体４０を透明の材料で形成しても同様の効果が得られるのは言うまでもない。
【００６６】
なお、上記各実施例においては、ヒータと送風ファンによって加熱乾燥していく方式の厨芥処理機について述べたが、その他のバイオ式等に採用しても同様の効果をもたらすのは言うまでもない。
【００６７】
【発明の効果】
本発明によれば、乾燥処理したごみで周囲を汚してしまうことがなく、また、処理後の乾燥ゴミに雨がかかったり、猫等がゴミ受け部内の乾燥ゴミをあさることができない、使用性の高い厨芥処理機を提供できる。
【図面の簡単な説明】
【図１】本発明の第１の実施例を示す厨芥処理機の外観図
【図２】同乾燥ゴミ排出部の断面図
【図３】本発明の第２の実施例を示す厨芥処理機の乾燥ゴミ排出部の断面図
【図４】本発明の第３の実施例を示す厨芥処理機の乾燥ゴミ排出部の断面図
【図５】本発明の第４の実施例を示す厨芥処理機の乾燥ゴミ排出部の外観図
【図６】本発明の第５の実施例を示す厨芥処理機の乾燥ゴミ排出部の断面図
【図７】本発明の第６の実施例を示す厨芥処理機の乾燥ゴミ排出部の断面図
【図８】本発明の第７の実施例を示す厨芥処理機の乾燥ゴミ排出部の断面図
【図９】本発明の第８の実施例を示す厨芥処理機の外観図
【図１０】従来の厨芥処理機の正面からの縦断面図
【図１１】同厨芥処理機の側面からの縦断面図
【図１２】同厨芥処理機の外観図
【符号の説明】
１　生ゴミ収納容器
４０　カバー体
４１　ゴミ受け部
４２　開口部
４３　開閉体
【図１】
2004141789.tif 000003
【図２】
2004141789.tif 000004
【図３】
2004141789.tif 000005
【図４】
2004141789.tif 000006
【図５】
2004141789.tif 000007
【図６】
2004141789.tif 000008
【図７】
2004141789.tif 000009
【図８】
2004141789.tif 000010
【図９】
2004141789.tif 000011
【図１０】
2004141789.tif 000012
【図１１】
2004141789.tif 000013
【図１２】
2004141789.tif 000014